(57)【要約】【課題】消費電力の単位時間あたりのピーク値を抑制して、電気料金の高騰を防止できる遊技場の空調機制御装置を提供する。【解決手段】遊技機１０及び空調機７０が設置される遊技場の空調機制御装置９０であって、遊技機１０の稼働状況に応じて、空調機７０の消費電力を制御する消費電力制御部９０ｂを備える。また、空調機７０は、遊技場の室内に設置される空調室内機７０ａと、遊技場の室外に設置される空調室外機７０ｂとを備え、消費電力制御部９０ｂは、消費電力が多い空調室外機７０ｂのＯＮ／ＯＦＦ制御や運転周波数制御にもとづいて、空調機７０の消費電力を制御する。【選択図】  図１
2010088611.tif 000002
【特許請求の範囲】
【請求項１】
遊技機及び空調機が設置される遊技場の空調機制御装置であって、
前記遊技機の稼働状況に応じて、前記空調機の消費電力を制御する消費電力制御手段を備えることを特徴とする遊技場の空調機制御装置。
【請求項２】
前記空調機は、
遊技場の室内に設置される空調室内機と、
遊技場の室外に設置される空調室外機と、を備え、
前記消費電力制御手段は、
前記空調室外機のＯＮ／ＯＦＦ制御及び／又は運転周波数制御にもとづいて、前記空調機の消費電力を制御する
ことを特徴とする請求項１記載の遊技場の空調機制御装置。
【請求項３】
前記遊技機は、
遊技場の室内に複数設置されるとともに、遊技場の室内に複数設置される前記空調室内機との位置関係にもとづいて予めグループ分けされ、
前記消費電力制御手段は、
前記遊技機の稼働状況をグループ単位で監視するとともに、各遊技機グループの稼働状況に応じて、対応する前記空調室外機のＯＮ／ＯＦＦ制御及び／又は運転周波数制御を行う
ことを特徴とする請求項２記載の遊技場の空調機制御装置。
【請求項４】
前記消費電力制御手段は、
各遊技機グループの稼働率及び／又は消費電力を監視するとともに、稼働率及び／又は消費電力が所定値以下の遊技機グループを特定し、該遊技機グループに対応する前記空調室外機を節電制御する
ことを特徴とする請求項３記載の遊技場の空調機制御装置。
【請求項５】
前記消費電力制御手段は、
所定時間毎に、各遊技機グループの現在及び／又は過去の稼働状況に応じて、各遊技機グループに対応する前記空調室外機の節電制御パターンを生成し、該節電制御パターンにしたがって前記空調室外機の節電制御を行う
ことを特徴とする請求項３又は４記載の遊技場の空調機制御装置。
【請求項６】
前記消費電力制御手段は、
各遊技機グループに対応する前記空調室外機を、各遊技機グループの稼働状況に拘わらず所定の順番で節電制御する既定の基準制御パターンを有し、該基準制御パターンを、各遊技機グループの現在及び／又は過去の稼働状況に応じて補正することにより前記節電制御パターンを生成する
ことを特徴とする請求項５記載の遊技場の空調機制御装置。
【請求項７】
前記消費電力制御手段は、
前記基準制御パターンよりも消費電力を抑制可能な既定のデマンド制御パターンを有し、所定単位時間あたりの消費電力が所定のピーク値を超える可能性があるときは、前記デマンド制御パターンにしたがって前記空調室外機の節電制御を行う
ことを特徴とする請求項５又は６記載の遊技場の空調機制御装置。
【発明の詳細な説明】
【技術分野】
【０００１】
本発明は、パチンコ機、スロットマシン等の遊技機が設置される遊技場の空調機制御装置に関する。
【背景技術】
【０００２】
パチンコ店等の遊技場には、パチンコ機、スロットマシン等の遊技機が設置されるだけでなく、遊技客が快適な環境で遊技できるように空調機が備えられている。
一般的な空調機は、遊技場の室内に設置される空調室内機と、遊技場の室外に設置される空調室外機とを備えており、例えば、冷房運転時は、液化状態の冷媒を空調室内機において気化し、その気化熱で冷却された風を室内に吹き出すことにより室内を冷房する。
気化された冷媒は、空調室外機に送られるとともに、空調室外機のコンプレッサにより圧縮されて液化状態に戻され、再び空調室内機に送られる。このサイクルを繰り返すことにより、継続的な冷房運転が実施される。
また、冷房運転状態で空調室外機の運転を停止した場合は、空調室内機に対する冷媒の供給が停止するため、空調室内機から常温の風を室内に吹き出す送風運転状態となる。
【０００３】
一般的な規模又はそれ以上の規模を有する遊技場では、室内に数多くの空調室内機を備えるとともに、各空調室内機毎に運転状態を調整できるようになっている。
例えば、運転切換え（冷房、除湿、送風、暖房等）、温度設定、風量設定、風向設定等の調整を各空調室内機毎に行うことが可能であるが、遊技場の室内においては、遊技客の分布にばらつきがあるため、各空調室内機の設定温度を同一温度にするだけでは、室内温度を均一にすることが困難であり、温度のばらつきにより遊技客に不快感を与える可能性がある。
この問題は、遊技場の店員が、遊技客の分布に応じて、各空調室内機の運転状態をこまめに調整すれば、解消することが可能であるが、店員の負担が大きくなるため、現実的ではない。
【０００４】
そこで、特許文献１においては、遊技客の分布に応じて、空調機の運転内容を自動的に調整するパチンコ店向けの空調システムが提案されている。
具体的には、空調室内機との位置関係から遊技機をグループ化し、グループに属する遊技機の出玉数・使用玉数に応じて、対応する空調室内機の設定温度を自動的に調整する。
これにより、店員の負担を増大させることなく、遊技場の室内を快適な温度にすることができるとしている。
【特許文献１】特開２００３−７９９１６号公報
【発明の開示】
【発明が解決しようとする課題】
【０００５】
特許文献１に示される空調システムは、遊技客の分布に応じて設定温度を自動的に調整することにより、遊技場の室内を快適な温度にすることが可能であると考えられるが、空調機の消費電力については全く考慮されていないため、消費電力の単位時間あたりのピーク値が上昇し、電気料金を高騰させる可能性があった。
【０００６】
ちなみに、業務用電力の電気料金は、一年間における消費電力の単位時間（３０分）あたりのピーク値にもとづいて基本料金（電気料金単価）が決まり、消費電力に基本料金を掛けた額が使用者に課金される料金体系となっている。
したがって、一年間における消費電力の単位時間あたりのピーク値を抑えること、特に、冷房による電力需要が高い真夏（８月）のピーク値を抑えることは、基本料金の低減効果が高く、ひいては年間電気料金の大幅な削減につながる。
【０００７】
本発明は、上記の事情にかんがみなされたものであり、遊技機の稼働状況に応じて、空調機の消費電力を制御することにより、遊技場における遊技客の分布を考慮しつつ、消費電力の単位時間あたりのピーク値を抑制して、電気料金の高騰を防止できる遊技場の空調機制御装置の提供を目的とする。
【課題を解決するための手段】
【０００８】
上記目的を達成するため本発明の遊技場の空調機制御装置は、遊技機及び空調機が設置される遊技場の空調機制御装置であって、前記遊技機の稼働状況に応じて、前記空調機の消費電力を制御する消費電力制御手段を備える構成としてある。
【発明の効果】
【０００９】
本発明によれば、遊技機の稼働状況に応じて、空調機の消費電力を制御することにより、遊技場における遊技客の分布を考慮しつつ、消費電力の単位時間あたりのピーク値を抑制して、電気料金の高騰を防止できる。
【発明を実施するための最良の形態】
【００１０】
以下、本発明の実施形態について、図面を参照して説明する。
［第一実施形態］
まず、本発明の第一実施形態に係る遊技場の空調機制御装置について、図１〜図９を参照して説明する。
【００１１】
（遊技場の構成）
図１は、遊技場の構成を示すブロック図である。
この図に示すように、遊技場は、遊技機１０と、遊技媒体貸出機２０と、台コントローラ３０と、島コントローラ４０と、電力計５０と、遊技用管理装置６０と、空調機７０と、コントローラ８０と、空調機制御装置９０と、電力積算計１００を備えている。
【００１２】
遊技機１０には、パチンコ機１０ａ，スロットマシン１０ｂ，アレンジボール機，雀球機等、玉やメダルなどの所定の遊技媒体を使用して遊技を行う各種の遊技機が含まれる。
遊技媒体貸出機２０には、遊技球を貸し出す玉貸機２０ａや、メダルを貸し出すメダル貸機２０ｂがある。
【００１３】
台コントローラ３０は、一又は二以上の遊技機１０等から遊技に関連する所定の信号を入力し、その入力した信号に対して所定の処理を行い、島コントローラ４０を介して遊技用管理装置６０へ送信する。
島コントローラ４０は、一又は二以上の台コントローラ３０から送信されてきた所定の信号を遊技用管理装置６０へ送信する。
電力計５０は、島単位の消費電力を計測し、島コントローラ４０を介して遊技用管理装置６０へ送信する。
【００１４】
遊技用管理装置６０は、プログラムにより動作するコンピュータであって、遊技機１０や遊技媒体貸出機２０から遊技に関連する情報を受信するとともに、電力計５０から消費電力に関連する情報を受信する。
遊技機１０から受信する遊技関連情報には、例えば、パチンコ機１０ａからのセーフ玉数（払い出し玉数）情報、アウト玉数（発射玉数）情報、スタート回数情報、大当り回数情報、スロットマシン１０ｂからのスタート回数情報、払い出しメダル数情報、ボーナス回数情報等が含まれており、これらの情報にもとづいて各遊技機１０の稼働状況を把握することができる。
【００１５】
空調機７０は、遊技場の室内に設置される空調室内機７０ａと、遊技場の室外に設置される空調室外機７０ｂとを備えており、これらの運転により、遊技場室内の冷房、除湿、送風、暖房等を行うことができる。
コントローラ８０は、空調機制御装置９０からの制御信号を入力し、対応する空調機７０へ送信する。
空調機制御装置９０は、遊技用管理装置６０から遊技に関連する情報を受信するとともに、電力積算計１００から消費電力に関連する情報を受信し、これらの情報にもとづいて生成した制御パターンにしたがって空調機７０の制御を行う。
電力積算計１００は、遊技場全体の消費電力を計測し、空調機制御装置９０へ入力する。
これらのうち、空調機７０の構成については後記の「空調機の構成」において、空調機制御装置９０の構成については後記の「空調機制御装置の構成」において、それぞれ詳述する。
【００１６】
（空調機の構成）
空調機７０は、空調室内機７０ａに気化器や送風機を備え、空調室外機７０ｂにコンプレッサやモータを備えており、例えば、冷房運転時は、液化状態の冷媒を空調室内機７０ａにおいて気化し、その気化熱で冷却された風を室内に吹き出すことにより室内を冷房する。
気化された冷媒は、空調室外機７０ｂに送られるとともに、空調室外機７０ｂのコンプレッサにより圧縮されて液化状態に戻され、再び空調室内機７０ａに送られる。このサイクルを繰り返すことにより、継続的な冷房運転が実施される。
また、冷房運転状態で空調室外機７０ｂの運転を停止した場合は、空調室内機７０ａに対する冷媒の供給が停止するため、空調室内機７０ａから常温の風を室内に吹き出す送風運転状態となる。
【００１７】
一般的な規模又はそれ以上の規模を有する遊技場では、室内に数多くの空調室内機７０ａを備えるとともに、各空調室内機７０ａ毎に運転状態を調整できるようになっている。
例えば、運転切換え（冷房、除湿、送風、暖房等）、温度設定、風量設定、風向設定等の調整を各空調室内機７０ａ毎に行うことが可能である。
【００１８】
一方、空調室外機７０ｂにおいても、運転状態の切換えを行うことが可能である。
例えば、本実施形態の空調室外機７０ｂは、外部入力に応じたＯＮ／ＯＦＦ制御や、コンプレッサの運転周波数制御が可能であり、これらの制御によって消費電力を段階的（例えば、１００％，７５％，５０％，０％）に調整することができる。
【００１９】
（空調機制御装置の構成）
空調機制御装置９０は、操作部９０ａと、消費電力制御部９０ｂ（消費電力制御手段）とを備える。
操作部９０ａは、空調機７０に関する各種の設定操作を行うためのものであって、例えば、各空調室内機７０ａの運転切換え（冷房、除湿、送風、暖房等）、温度設定、風量設定、風向設定等の調整を集中的に行うことができる。
【００２０】
消費電力制御部９０ｂは、遊技用管理装置６０から取得した遊技関連情報にもとづいて、遊技機１０の稼働状況を判断するとともに、遊技機１０の稼働状況に応じて、空調機７０の消費電力を制御するように構成されている。
すなわち、遊技機１０の稼働状況に応じて、空調機７０の消費電力を制御することにより、遊技場における遊技客の分布を考慮しつつ、消費電力の単位時間あたりのピーク値を抑制して、電気料金の高騰を防止できるとともに、地球温暖化等の環境問題にも配慮することができる。
【００２１】
消費電力制御部９０ｂは、空調室外機７０ｂのＯＮ／ＯＦＦ制御や運転周波数制御にもとづいて、空調機７０の消費電力を制御する構成としてあることが好ましい。
すなわち、消費電力が多い空調室外機７０ｂのＯＮ／ＯＦＦ制御や運転周波数制御にもとづいて、空調機７０の消費電力を制御することにより、消費電力の制御幅を広げ、消費電力の大幅な削減が可能になるからである。
【００２２】
つぎに、消費電力制御部９０ｂの具体的な制御内容について、図２〜図５を参照して説明する。
図２は、遊技機及び空調室内機の配置例を示す遊技場の概略平面図である。
この図に示すように、遊技場には、複数（例えば、８）の島が構成されている。各島は、複数（例えば、２０）の遊技機１０、遊技機単位で設置される遊技媒体貸出機２０及び台コントローラ３０、島単位で設置される島コントローラ４０及び電力計５０、さらに、遊技機１０に遊技媒体を補給する不図示の補給装置などを備えて構成されている。
また、遊技場の天井には、複数（例えば、１６）の空調室内機７０ａが設置されている。図２に示す配置例では、各島に対して２台の空調室内機７０ａを設置している。
【００２３】
図３は、島、空調室内機（遊技機グループ）及び電力計の関係を示す対応表、図４は、空調室内機（遊技機グループ）、遊技機及び稼働の関係を示す対応表である。
図２に示すように、島、遊技機１０、電力計５０及び空調室内機７０ａに番号（Ｎｏ．）を付けた場合、島番号、空調室内機番号（遊技機グループ番号）及び電力計番号は、図３に示すような対応関係となる。
また、各島に複数設置される遊技機１０を空調室内機７０ａとの位置関係にもとづいてグループ分けすると、図４に示すような対応関係となる。
そして、図４に示すように、遊技用管理装置６０から各遊技機１０の稼働情報を取得すると、空調室内機７０ａとの位置関係にもとづいてグループ分けされた遊技機グループ単位の稼働状況を把握することが可能になる。
【００２４】
本実施形態の消費電力制御部９０ｂは、遊技機１０の稼働状況をグループ単位で監視するとともに、各遊技機グループの稼働状況に応じて、対応する空調室外機７０ｂのＯＮ／ＯＦＦ制御や運転周波数制御を行う。
このようにすると、空調室内機７０ａとの位置関係にもとづいてグループ分けされた遊技機グループの稼働状況に応じて、対応する空調室外機７０ｂを適正に制御することができる。
【００２５】
図５は、遊技機グループ、稼働率、節電制御の有無及び消費電力の関係を示す対応表である。
この図に示すように、消費電力制御部９０ｂは、遊技用管理装置６０から取得した情報にもとづいて、各遊技機グループ毎の稼働率や消費電力を把握することができる。
【００２６】
各遊技機グループの稼働率は、遊技機グループに属する遊技機１０の稼働情報（図４参照）を取得すれば、下記の式で求めることができる。
稼働率＝（遊技機グループの稼働台数／遊技機グループの遊技機台数）×１００
例えば、遊技機グループＮｏ．１は、図４に示すように、稼働台数が３台、遊技機台数が１０台であるため、稼働率は３０％と求めることができ、遊技機グループＮｏ．１６は、稼働台数が５台、遊技機台数が１０台であるため、稼働率は５０％と求めることができる。
【００２７】
また、各遊技機グループの消費電力は、人の発熱量を８０ワット、遊技機１０の稼働時の消費電力を２００ワット、遊技機１０の非稼働時の消費電力を１４０ワット、補給装置の消費電力を５０％遊技機稼働時で１０８ワット、５５％遊技機稼働時で１２０ワット、４０％遊技機稼働時で８６ワットとすると、下記の式で求めることができる。
消費電力＝稼働台数×２００＋非稼働台数×１４０＋遊技者数×８０＋補給装置消費電力
【００２８】
例えば、遊技機グループＮｏ．１の補給装置を除く消費電力は、
稼働遊技機３台×２００＋非稼働遊技機７台×１４０＋遊技者３人×８０＝１８２０ワット
また、遊技機グループＮｏ．２の補給装置を除く消費電力は、
稼働遊技機５台×２００＋非稼働遊技機５台×１４０＋遊技者５人×８０＝２１００ワット
また、島Ｎｏ．１の補給装置の消費電力は、
島稼働率（３０＋５０）／２＝４０％から８６ワット
これを遊技機グループＮｏ．１、２に等配分すると、
遊技機グループＮｏ．１の消費電力＝１８６３ワット
遊技機グループＮｏ．２の消費電力＝２１４３ワットとなる。
【００２９】
本実施形態の消費電力制御部９０ｂは、各遊技機グループの稼働率や消費電力を監視するとともに、稼働率や消費電力が所定値以下（稼働率３０％以下又は消費電力２０００ワット以下）の遊技機グループを特定し、該遊技機グループに対応する空調室外機７０ｂを節電制御するようになっている。
このようにすると、稼働率や消費電力が低い遊技機グループに対応する空調室外機７０ｂを節電制御することにより、遊技客の快適度を低下させることなく、消費電力を抑えることができる。
【００３０】
つぎに、消費電力制御部９０ｂによる空調室外機７０ｂの具体的な制御パターンについて、図６〜図８を参照して説明する。
図６は、稼働状況を考慮していない空調室外機の節電制御パターン（基準制御パターン）を示す説明図である。
この図に示す空調室外機７０ｂの節電制御パターンは、遊技機グループの稼働状況を考慮していないものであって、各島に対応して設置される２台の空調室外機７０ｂ（空調室内機７０ａ）を一組とし、３分毎に所定の順番（例えば、ジグザグ状）で節電制御（コンプレッサの停止制御又は運転周波数制御）することにより消費電力を抑制する。
なお、図６に示す節電制御パターンでは、１サイクル（２４分）で全ての空調室外機７０ｂが節電制御されるように、同時に節電制御する空調室外機７０ｂの数、時間及び順番を定めているが、これらは、遊技場の規模や空調機７０の設置台数に応じて、適宜変更可能である。
【００３１】
図７は、稼働状況を考慮した空調室外機の節電制御パターン（パターン例１）を示す説明図、図８は、稼働状況を考慮した空調室外機の節電制御パターン（パターン例２）を示す説明図である。
これらの図に示す空調室外機７０ｂの節電制御パターンは、遊技機グループの稼働状況を考慮して生成されるものであって、基本的には、図６に示す節電制御パターンにもとづいて、各遊技機グループに対応する空調室外機７０ｂを順番に節電制御するが、稼働率の低い遊技機グループに対応する空調室外機７０ｂについては、１サイクル中の節電制御時間を長くしている。
【００３２】
例えば、遊技機グループＮｏ．１の稼働率が所定値以下（３０％以下）である場合、図７に示す節電制御パターンでは、遊技機グループＮｏ．１に対応する空調室外機７０ｂについて、節電制御の終了タイミングを遅らせることにより、他の空調室外機７０ｂよりも節電制御時間を３分間長くしている。
また、図８に示す節電制御パターンでは、遊技機グループＮｏ．１に対応する空調室外機７０ｂについて、１サイクルにおける節電制御回数を増やすことにより、他の空調室外機７０ｂよりも節電制御時間を３分間長くしている。
【００３３】
このように、本実施形態の消費電力制御部９０ｂは、所定時間（例えば、２４分）毎に、各遊技機グループの稼働状況に応じて、各遊技機グループに対応する空調室外機７０ｂの節電制御パターンを生成し、該節電制御パターンにしたがって空調室外機７０ｂの節電制御を行う。
すなわち、空調室外機７０ｂの節電制御パターンを所定時間毎に更新するので、稼働状況の変化に過敏に反応することなく、安定的に空調室外機７０ｂを節電制御することができる。
【００３４】
また、本実施形態の消費電力制御部９０ｂは、各遊技機グループに対応する空調室外機７０ｂを、各遊技機グループの稼働状況に拘わらず所定の順番で節電制御する既定の基準制御パターン（例えば、図６の節電制御パターン）を有し、該基準制御パターンを、各遊技機グループの稼働状況に応じて補正することにより節電制御パターン（例えば、図７や図８の節電制御パターン）を生成するようになっている。
このようにすると、遊技機グループの稼働状況に応じて、空調室外機７０ｂを節電制御することで得られる消費電力の抑制効果だけでなく、既定の基準制御パターンにしたがって空調室外機７０ｂを節電制御することで得られる消費電力の抑制効果を加味することができる。
【００３５】
つぎに、消費電力制御部９０ｂの具体的な制御手順について、図９を参照して説明する。
図９は、空調機制御処理を示すフローチャートである。
この図に示すように、空調機制御装置９０の消費電力制御部９０ｂは、まず、所定時間（節電制御パターンの１サイクル）の経過を判断し（Ｓ１１）、この判断結果がＹＥＳの場合は、各遊技機グループの稼働率を算出する（Ｓ１２）。
つぎに、稼働率が所定値以下（例えば、３０％以下）の遊技機グループがあるか否かを判断し（Ｓ１３）、この判断結果がＮＯである場合は、既定の基準制御パターン（例えば、図６の節電制御パターン）をセットし（Ｓ１４）、この基準制御パターンにしたがって空調室外機７０ｂの節電制御を行う（Ｓ１５）。
一方、稼働率が所定値以下の遊技機グループがあると判断した場合は、既定の基準制御パターン（例えば、図６の節電制御パターン）をベースとし、稼働率が所定値以下の遊技機グループに対応する空調室外機７０ｂの節電制御時間が長くなるような節電制御パターン（例えば、図７や図８の節電制御パターン）を生成し（Ｓ１６）、この節電制御パターンにしたがって空調室外機７０ｂの節電制御を行う（Ｓ１５）。
【００３６】
以上のように構成された本発明の第一実施形態によれば、遊技機１０及び空調機７０が設置される遊技場の空調機制御装置９０であって、遊技機１０の稼働状況に応じて、空調機７０の消費電力を制御する消費電力制御部９０ｂを備えているので、遊技場における遊技客の分布を考慮しつつ、消費電力の単位時間あたりのピーク値を抑制して、電気料金の高騰を防止できるとともに、地球温暖化等の環境問題にも配慮することができる。
【００３７】
また、空調機７０は、遊技場の室内に設置される空調室内機７０ａと、遊技場の室外に設置される空調室外機７０ｂとを備え、消費電力制御部９０ｂは、消費電力が多い空調室外機７０ｂのＯＮ／ＯＦＦ制御や運転周波数制御にもとづいて、空調機７０の消費電力を制御するので、消費電力の制御幅を広げ、消費電力の大幅な削減が可能になる。
【００３８】
また、遊技機１０は、遊技場の室内に複数設置されるとともに、遊技場の室内に複数設置される空調室内機７０ａとの位置関係にもとづいて予めグループ分けされ、消費電力制御部９０ｂは、遊技機１０の稼働状況をグループ単位で監視するとともに、各遊技機グループの稼働状況に応じて、対応する空調室外機７０ｂのＯＮ／ＯＦＦ制御や運転周波数制御を行うので、空調室内機７０ａとの位置関係にもとづいてグループ分けされた遊技機グループの稼働状況に応じて、対応する空調室外機７０ｂを適正に制御することができる。
【００３９】
また、消費電力制御部９０ｂは、各遊技機グループの稼働率や消費電力を監視するとともに、稼働率や消費電力が所定値以下の遊技機グループを特定し、該遊技機グループに対応する空調室外機７０ｂを節電制御するので、遊技客の快適度を低下させることなく、消費電力を抑えることができる。
【００４０】
また、消費電力制御部９０ｂは、所定時間毎に、各遊技機グループの稼働状況に応じて、各遊技機グループに対応する空調室外機７０ｂの節電制御パターンを生成し、該節電制御パターンにしたがって空調室外機７０ｂの節電制御を行うので、稼働状況の変化に過敏に反応することなく、安定的に空調室外機７０ｂを節電制御することができる。
【００４１】
また、消費電力制御部９０ｂは、各遊技機グループに対応する空調室外機７０ｂを、各遊技機グループの稼働状況に拘わらず所定の順番で節電制御する既定の基準制御パターンを有し、該基準制御パターンを、各遊技機グループの稼働状況に応じて補正することにより節電制御パターンを生成するので、遊技機グループの稼働状況に応じて、空調室外機７０ｂを節電制御することで得られる消費電力の抑制効果だけでなく、既定の基準制御パターンにしたがって空調室外機７０ｂを節電制御することで得られる消費電力の抑制効果を加味することができる。
【００４２】
［第二実施形態］
つぎに、本発明の第二実施形態に係る遊技場の空調機制御装置について、図１０及び図１１を参照して説明する。
本発明の第二実施形態に係る遊技場の空調機制御装置９０は、各遊技機グループの過去の稼働状況に応じて、各遊技機グループに対応する空調室外機７０ｂの節電制御パターンを生成し、該節電制御パターンにしたがって空調室外機７０ｂの節電制御を行う点が第一実施形態と相違している。
このようにすると、一週間前の同じ曜日や前日の稼働状況を参照して、所定時間後の節電制御パターンを生成することにより、所定時間後の稼働状況を予測しながら空調室外機７０ｂを適正に節電制御することが可能になる。
【００４３】
図１０は、遊技機グループ、時間帯、平均稼働率及び節電制御の有無の関係を示す対応表である。
この図に示すように、第二実施形態に係る消費電力制御部９０ｂは、遊技用管理装置６０から取得した過去の情報にもとづいて、所定の時間帯毎に各遊技機グループの稼働率を算出し、これを記憶することができる。
また、図１０に示す稼働率は、過去４週間分の平均稼働率データであるが、さらに、曜日別平均稼働率データ、平日平均稼働率データ、休日平均稼働率データ等を保持すれば、所定時間後の稼働状況をより正確に予測し、空調室外機７０ｂを適正に節電制御することが可能になる。
【００４４】
つぎに、第二実施形態に係る消費電力制御部９０ｂの具体的な制御手順について、図１１を参照して説明する。
図１１は、第二実施形態の空調機制御処理を示すフローチャートである。
【００４５】
この図に示すように、第二実施形態に係る空調機制御装置９０の消費電力制御部９０ｂは、まず、所定時間（節電制御パターンの１サイクル）の経過を判断し（Ｓ２１）、この判断結果がＹＥＳの場合は、過去の稼働率データを参照し、各遊技機グループのつぎの時間帯の稼働率を抽出する（Ｓ２２）。
つぎに、抽出した稼働率が所定値以下（例えば、３０％以下）の遊技機グループがあるか否かを判断し（Ｓ２３）、この判断結果がＮＯである場合は、既定の基準制御パターン（例えば、図６の節電制御パターン）をセットし（Ｓ２４）、この基準制御パターンにしたがって空調室外機７０ｂの節電制御を行う（Ｓ２５）。
一方、稼働率が所定値以下の遊技機グループがあると判断した場合は、既定の基準制御パターン（例えば、図６の節電制御パターン）をベースとし、稼働率が所定値以下の遊技機グループに対応する空調室外機７０ｂの節電制御時間が長くなるような節電制御パターン（例えば、図７や図８の節電制御パターン）を生成し（Ｓ２６）、この節電制御パターンにしたがって空調室外機７０ｂの節電制御を行う（Ｓ２５）。
【００４６】
［第三実施形態］
つぎに、本発明の第三実施形態に係る遊技場の空調機制御装置について、図１２及び図１３を参照して説明する。
本発明の第三実施形態に係る遊技場の空調機制御装置９０は、前述した基準制御パターン（例えば、図６の節電制御パターン）よりも消費電力を抑制可能な既定のデマンド制御パターン（例えば、図１２の節電制御パターン）を有し、所定単位時間あたりの消費電力が所定のピーク値を超える可能性があるときは、デマンド制御パターンにしたがって空調室外機７０ｂの節電制御を行う点が前記実施形態と相違している。
このようにすると、所定単位時間あたりの消費電力が所定のピーク値を超えることを防止できるので、一年間における消費電力の単位時間あたりのピーク値にもとづいて決まる基本料金を低く抑え、年間の電気料金を大幅に削減することができる。
【００４７】
図１２は、第三実施形態に係る空調室外機の節電制御パターン（デマンド制御パターン）を示す説明図である。
この図に示す空調室外機７０ｂの節電制御パターンは、遊技機グループの稼働状況を考慮していないものであって、各島に対応して設置される２台の空調室外機７０ｂ（空調室内機７０ａ）を一組とし、３分毎に所定の順番（例えば、ジグザグ状）で節電制御（コンプレッサの停止制御又は運転周波数制御）することにより消費電力を抑制する。
ただし、二組（４台）の空調室外機７０ｂを節電制御するので、図６の節電制御パターンに比して、より多くの消費電力を抑制することが可能である。
【００４８】
つぎに、第三実施形態に係る消費電力制御部９０ｂの具体的な制御手順について、図１３を参照して説明する。
図１３は、第三実施形態の空調機制御処理を示すフローチャートである。
【００４９】
この図に示すように、第三実施形態に係る空調機制御装置９０の消費電力制御部９０ｂは、まず、所定時間（節電制御パターンの１サイクル）の経過を判断し（Ｓ３１）、この判断結果がＹＥＳの場合は、遊技場全体の単位時間あたりの消費電力を算出する（Ｓ３２）。
つぎに、遊技場全体の単位あたりの消費電力が所定のピーク値を超える可能性があるか否かを判断し（Ｓ３３）、この判断結果がＹＥＳの場合は、既定のデマンド制御パターン（例えば、図１２の節電制御パターン）をセットし（Ｓ３４）、このデマンド制御パターンにしたがって空調室外機７０ｂの節電制御を行う（Ｓ３５）。
また、ステップＳ３３の判断結果がＮＯである場合は、各遊技機グループの稼働率を算出するとともに（Ｓ３６）、稼働率が所定値以下（例えば、３０％以下）の遊技機グループがあるか否かを判断する（Ｓ３７）。そして、この判断結果がＮＯである場合は、既定の基準制御パターン（例えば、図６の節電制御パターン）をセットし（Ｓ３８）、この基準制御パターンにしたがって空調室外機７０ｂの節電制御を行う（Ｓ３５）。
一方、稼働率が所定値以下の遊技機グループがあると判断した場合は、既定の基準制御パターン（例えば、図６の節電制御パターン）をベースとし、稼働率が所定値以下の遊技機グループに対応する空調室外機７０ｂの節電制御時間が長くなるような節電制御パターン（例えば、図７や図８の節電制御パターン）を生成し（Ｓ３９）、この節電制御パターンにしたがって空調室外機７０ｂの節電制御を行う（Ｓ３５）。
【００５０】
以上、本発明に係る遊技場の空調機制御装置の好ましい実施形態について説明したが、本発明に係る遊技場の空調機制御装置は上述した実施形態にのみ限定されるものではなく、本発明の範囲で種々の変更実施が可能であることはいうまでもない。
例えば、上述した実施形態では、遊技機グループの現在又は過去のいずれか一方の稼働状況に応じて、空調室外機の節電制御パターンを生成しているが、過去の稼働状況に応じて生成した制御パターンにしたがって空調室外機を節電制御しつつ、現在の稼働状況に応じて節電制御パターンを逐次補正するようにしてもよい。
【産業上の利用可能性】
【００５１】
本発明は、パチンコ機、スロットマシン等の遊技機が設置される遊技場の空調機制御装置に適用することができる。特に、電気料金の削減や、地球温暖化等の環境問題への配慮が強く求められる大型の遊技場への適用が効果的である。
【図面の簡単な説明】
【００５２】
【図１】遊技場の構成を示すブロック図である。
【図２】遊技機及び空調室内機の配置例を示す遊技場の概略平面図である。
【図３】島、空調室内機（遊技機グループ）及び電力計の関係を示す対応表である。
【図４】空調室内機（遊技機グループ）、遊技機及び稼働の関係を示す対応表である。
【図５】遊技機グループ、稼働率、節電制御の有無及び消費電力の関係を示す対応表である。
【図６】稼働状況を考慮していない空調室外機の節電制御パターン（基準制御パターン）を示す説明図である。
【図７】稼働状況を考慮した空調室外機の節電制御パターン（パターン例１）を示す説明図である。
【図８】稼働状況を考慮した空調室外機の節電制御パターン（パターン例２）を示す説明図である。
【図９】空調機制御処理を示すフローチャートである。
【図１０】遊技機グループ、時間帯、平均稼働率及び節電制御の有無の関係を示す対応表である。
【図１１】第二実施形態の空調機制御処理を示すフローチャートである。
【図１２】第三実施形態に係る空調室外機の節電制御パターン（デマンド制御パターン）を示す説明図である。
【図１３】第三実施形態の空調機制御処理を示すフローチャートである。
【符号の説明】
【００５３】
１０    遊技機
２０    遊技媒体貸出機
３０    台コントローラ
４０    島コントローラ
５０    電力計
６０    遊技用管理装置
７０    空調機
７０ａ  空調室内機
７０ｂ  空調室外機
８０    コントローラ
９０    空調機制御装置
９０ａ  操作部
９０ｂ  消費電力制御部
１００  電力積算計
【図１】
2010088611.tif 000003
【図２】
2010088611.tif 000004
【図３】
2010088611.tif 000005
【図４】
2010088611.tif 000006
【図５】
2010088611.tif 000007
【図６】
2010088611.tif 000008
【図７】
2010088611.tif 000009
【図８】
2010088611.tif 000010
【図９】
2010088611.tif 000011
【図１０】
2010088611.tif 000012
【図１１】
2010088611.tif 000013
【図１２】
2010088611.tif 000014
【図１３】
2010088611.tif 000015